(57)【要約】  記録媒体に記録された動画データの再生に係り、具体的には、動画データに対する多様な検索キーワードを利用した拡張検索機能を提供するメタデータを含む記録媒体とその記録媒体を再生する再生装置及び再生方法を提供する。  動画データと前記動画データに対する拡張検索機能を提供するためのメタデータとを含み、メタデータは、既定の検索キーワードと、製作者が追加で定義できる検索キーワードとを備えることを特徴とする記録媒体である。これにより、既定の検索キーワードだけでなく、製作者が追加で定義した多様な検索キーワードを利用して拡張検索機能を提供できる。また、メタデータのうち、多国語支援と直接に関連した部分だけを別途のテキスト基盤のファイルとして記録することによって、複数の言語を利用して拡張検索機能を提供できる。
2008508659.tif 000002
【特許請求の範囲】
【請求項１】
動画データと、
前記動画データに対する拡張検索機能を提供するためのメタデータとを含み、
前記メタデータは、既定の検索キーワードと、製作者が追加で定義できる検索キーワードとを備えることを特徴とする記録媒体。
【請求項２】
前記メタデータは、二進形態で具現され、前記製作者定義検索キーワードと前記製作者定義検索キーワードに関するキーワード値とを追加で定義できる別途のテキストフィールドを含むことを特徴とする請求項１に記載の記録媒体。
【請求項３】
前記メタデータは、テキスト基盤のマークアップ言語形態で具現され、前記製作者定義検索キーワードと前記製作者定義検索キーワードに関するキーワード値とを追加で定義できる別途のエレメントまたは属性を含むことを特徴とする請求項１に記載の記録媒体。
【請求項４】
前記メタデータは、多国語支援と関連のないパラメータは二進形態で前記動画データに含め、多国語支援と関連したパラメータはテキスト基盤の別個のファイルとして具現することを特徴とする請求項１に記載の記録媒体。
【請求項５】
前記多国語支援と関連のないパラメータとして、複数の検索キーワードの有効性を定義するキーワード記述子を含むことを特徴とする請求項４に記載の記録媒体。
【請求項６】
前記キーワード記述子は、所定の各ビットごとに前記既定の検索キーワードを割り当てることを特徴とする請求項５に記載の記録媒体。
【請求項７】
前記キーワード記述子は、前記ビットの一部に前記製作者定義検索キーワードを割り当てることを特徴とする請求項５に記載の記録媒体。
【請求項８】
前記別個のテキスト基盤ファイルは、支援する言語情報をファイル名及び／または属性及び／またはエレメントとして含むことを特徴とする請求項４に記載の記録媒体。
【請求項９】
前記別個のテキスト基盤ファイルは、前記動画データとのバインディングのために、記録媒体の識別子及び／またはタイトル識別子情報を含むことを特徴とする請求項４に記載の記録媒体。
【請求項１０】
前記別個のテキスト基盤ファイルは、前記キーワード記述子が指定した検索キーワードのうち、前記製作者定義検索キーワードを示すエレメント及び／または属性を含むことを特徴とする請求項７に記載の記録媒体。
【請求項１１】
前記別個のテキスト基盤ファイルは、前記キーワード記述子が指定した検索キーワードに関するキーワード値を示すエレメント及び／または属性を含むことを特徴とする請求項１０に記載の記録媒体。
【請求項１２】
動画データと前記動画データに対する拡張検索機能を提供するためのメタデータとを含む記録媒体から、前記メタデータを参照して所定の検索条件を満足させる動画データの位置を探索する検索部と、
前記探索された位置から前記動画データを再生する再生部とを備え、
前記メタデータは、既定の検索キーワードと製作者が追加で定義できる検索キーワードとを備えることを特徴とする再生装置。
【請求項１３】
前記検索部は、システムパラメータに保存されたサブタイトル、オーディオ、またはメニューのために支援される言語情報を参照して、該当言語情報に対応する前記メタデータを選択することを特徴とする請求項１２に記載の再生装置。
【請求項１４】
動画データと前記動画データに対する拡張検索機能を提供するためのメタデータとを含む記録媒体から、前記メタデータを参照して所定の検索条件を満足させる動画データの位置を探索する段階と、
前記探索された位置から前記動画データを再生する段階とを含み、
前記メタデータは、既定の検索キーワードと製作者が追加で定義できる検索キーワードとを備えることを特徴とする再生方法。
【請求項１５】
動画データと、
前記動画データに対する拡張検索機能を提供するためのメタデータとを含み、
前記メタデータは、既定の検索キーワードと、製作者が追加で定義できる検索キーワードとを含み、前記メタデータは、ディスク全体に関する情報または／及び各タイトルに関する情報に含まれることを特徴とする記録媒体。
【請求項１６】
前記メタデータは、再生装置の保存部にダウンロードされて前記動画データの検索に利用されることを特徴とする請求項１５に記載の記録媒体。
【請求項１７】
動画データと前記動画データに対する拡張検索機能を提供するためのメタデータとを含む記録媒体から、前記メタデータを参照して所定の検索条件を満足させるディスク全体に関する情報または／及び各タイトルに関する情報を探索する検索部と、
前記探索されたディスク全体に関する情報または／及び各タイトルに関する情報をディスプレイするディスプレイ部とを備え、
前記メタデータは、既定の検索キーワードと製作者が追加で定義できる検索キーワードとを備えることを特徴とする再生装置。
【請求項１８】
前記再生装置は、前記記録媒体から前記メタデータをダウンロードして保存するメタデータ保存部をさらに備えることを特徴とする請求項１７に記載の再生装置。
【請求項１９】
前記再生装置は、所定の検索条件を入力されるユーザインターフェース部をさらに備えることを特徴とする請求項１７に記載の再生装置。
【請求項２０】
動画データと前記動画データに対する拡張検索機能を提供するためのメタデータとを含む記録媒体から、前記メタデータを参照して所定の検索条件を満足させるディスク全体に関する情報または／及び各タイトルに関する情報を探索する段階と、
前記探索されたディスク全体に関する情報または／及び各タイトルに関する情報をディスプレイする段階とを含み、
前記メタデータは、既定の検索キーワードと製作者が追加で定義できる検索キーワードとを備えることを特徴とする再生方法。
【請求項２１】
前記探索する段階の前に、前記記録媒体から前記メタデータをダウンロードして保存する段階をさらに含むことを特徴とする請求項２０に記載の再生方法。
【請求項２２】
前記探索する段階の前に、所定の検索条件を受信する段階をさらに含むことを特徴とする請求項２０に記載の再生方法。
【請求項２３】
再生装置と共に使われ、動画(ＡＶ)データ及びメタデータを含むデータを保存する記録媒体において、前記データは、
前記ＡＶデータの複数の場面単位エレメントと、
対応する場面単位エレメントの特定エレメントであって、製作者が前記場面単位エレメントのコンテンツとして選択的に定義する検索キーワードをそれぞれ含むキーワードエレメントと、
各キーワードエレメントの特定エレメントであって、前記製作者が定義する検索キーワードに対応するキーワード値をコンテンツとして有する説明エレメントと、を含むことを特徴とする記録媒体。
【請求項２４】
前記キーワードエレメント及び／または説明エレメントは、対応する場面単位エレメントの属性であることを特徴とする請求項２３に記載の記録媒体。
【請求項２５】
再生装置により再生される動画(ＡＶ)データのメタデータが、マークアップ言語で記述されているマークアップ文書において、
前記ＡＶデータの再生シーケンスに関するリンク情報を含むメタデータエレメントと、
前記メタデータエレメントに含まれ、前記メタデータの特定エレメントとして作用し、キーワードエレメント及び説明エレメントを含む場面単位エレメントとを含むことを特徴とするマークアップ文書。
【請求項２６】
前記キーワードエレメントは、コンテンツとして製作者が定義する多様な検索キーワードを含むことを特徴とする請求項２５に記載のマークアップ文書。
【請求項２７】
前記説明エレメントは、特定エレメントとして前記検索キーワードに対応するキーワード値を含むことを特徴とする請求項２６に記載のマークアップ文書。
【請求項２８】
前記検索キーワードは、予め定義されるか、または製作者により定義されることを特徴とする請求項２７に記載のマークアップ文書。
【請求項２９】
前記製作者は、タイトル製作時に使われた用語を使用せず、制限なく多様な検索キーワードを新たに定義して使用できることを特徴とする請求項２８に記載のマークアップ文書。
【請求項３０】
メタデータを含む動画(ＡＶ)データを保存する再生装置の記録媒体において、製作者がキーワード値を示す説明フィールドと検索キーワードを示すキーワードフィールドとを新たに定義して使用できるように、前記メタデータは、少なくとも二つのテキストタイプフィールドを含み、前記製作者は、前記キーワードフィールドを使用して多様な検索キーワードを追加できることを特徴とする記録媒体。
【請求項３１】
少なくとも一つのＡＶデータクリップとメタデータとを含み、再生装置により再生される動画(ＡＶ)データストリームの構造において、
前記クリップの再生順序を指定する再生シーケンスを示すプレイリストを含み、
前記プレイリストは、前記クリップのインフォメーションと前記クリップ内の再生位置とを含む複数のプレイアイテムと、前記メタデータを含み、前記クリップの検索を許容する検索機能を提供するプレイリストマークとを含むことを特徴とする構造。
【請求項３２】
前記メタデータは、前記プレイリストマークと別途に定義されることを特徴とする請求項３１に記載の構造。
【請求項３３】
前記メタデータは、前記プレイリストに従属して二進形態またはテキスト形態で記録されることを特徴とする請求項３１に記載の構造。
【請求項３４】
前記プレイリストマークは、
前記プレイリストマークの識別子を示す固有識別子フィールドと、
前記プレイリストマークの用途を示すマークタイプフィールドと、
前記マークタイプがメタデータマークである場合にだけ有効であるキーワードフィールド及び説明フィールドと、
前記マークに対応するプレイアイテムの識別子を示す固有識別子フィールドと、
前記プレイリストマークがどの時点に位置すべきであるかについての時間情報を示すマークタイムスタンプフィールドとを含むことを特徴とする請求項３１に記載の構造。
【請求項３５】
エントリーマーク、リンクポイント及びメタデータマークのうちいずれか一つが前記プレイリストマークの用途を示す前記マークタイプフィールドに指定されることを特徴とする請求項３４に記載の構造。
【請求項３６】
前記メタデータマークが、前記マークタイプフィールドに指定されることを特徴とする請求項３５に記載の構造。
【請求項３７】
前記メタデータは、製作者が前記クリップの検索のために検索キーワードを新たに定義し、キーワード値を指定し、かつ／または多様な検索キーワードを追加するようにすることを特徴とする請求項３１に記載の構造。
【請求項３８】
多国語支援と直接に関連する前記キーワードフィールドのキーワード及び前記説明フィールドの説明は、付加的なテキスト基盤のメタデータとして具現され、
多国語支援と関連のないメタデータの識別子情報または時間情報は、二進形態で前記メインＡＶストリームに含まれることを特徴とする請求項３４に記載の構造。
【請求項３９】
前記テキスト基盤のメタデータは、前記プレイリストマークと別途に存在することを特徴とする請求項３８に記載の構造。
【請求項４０】
前記メタデータは、ディスクに記録されたタイトルに関連したディスク情報を含んで、前記タイトル内に保存されたコンテンツに対する拡張検索機能を提供することを特徴とする請求項３１に記載の構造。
【請求項４１】
前記メタデータは、ディスクの生成、ディスクについての資料、及びディスクの製作者が定義したデータに関連したディスク情報を含むことを特徴とする請求項３１に記載の構造。
【請求項４２】
前記ディスクに記録されたタイトルに関連したディスク情報は、コンテンツの生成と関連したメタデータ、コンテンツのプレゼンテーションに関連したメタデータ、コンテンツの分類に関連したメタデータ、コンテンツの資料に関連したメタデータ、及びコンテンツの製作者が定義したメタデータを含むことを特徴とする請求項４０に記載の構造。
【請求項４３】
前記メタデータは、ディスク単位またはボリューム単位で保存部に保存されることを特徴とする請求項３１に記載の構造。
【請求項４４】
ディスクに記録された動画(ＡＶ)データを再生する再生装置を作動する方法において、
検索条件を入力する段階と、
前記ディスク以外の保存部に保存されたディスクライブラリからメタデータを読み出す段階と、
前記メタデータを参照して前記検索条件を満足させるディスク情報及び／またはタイトル情報を探索する段階と、
前記探索されたディスク情報及び／またはタイトル情報をディスプレイする段階と、を含むことを特徴とする方法。
【請求項４５】
動画(ＡＶ)データ及びメタデータを記録した記録媒体のデータを再生する再生装置において、
前記記録媒体から前記ＡＶデータ及び前記メタデータを読み出す読み出し部と、
前記メタデータを参照して、外部から入力された所定の検索条件を満足させるＡＶデータの位置を探すために前記記録媒体を探索する検索部と、
外部から入力された所定の検索条件を満足させるＡＶデータの位置に基づいて、前記ＡＶデータの該当部分を再生する再生部とを備えることを特徴とする再生装置。
【請求項４６】
前記検索部は、前記読み出し部から前記メタデータを受信し、前記メタデータに含まれた検索キーワードに関する情報と前記検索条件とを比較し、前記ＡＶデータの位置情報及び／または付加的に定義されたプレイリストマークを前記再生部に伝達することを特徴とする請求項４５に記載の再生装置。
【請求項４７】
メタデータを含む動画(ＡＶ)データが記録された記録媒体に記録されたＡＶデータを再生する再生装置を作動する方法において、
所定の検索条件を入力する段階と、
前記記録媒体から前記ＡＶデータ及び前記メタデータを読み出す段階と、
前記メタデータを参照して前記所定の検索条件を満足させるＡＶデータの位置を探索する段階と、
前記探索された位置から前記ＡＶデータを再生する段階と、を含むことを特徴とする方法。
【請求項４８】
前記探索段階は、前記検索条件と前記メタデータとを比較して、前記検索条件に該当するプレイリストマークを探索する段階を含むことを特徴とする請求項４７に記載の方法。
【請求項４９】
動画データと、前記動画データに対する拡張検索機能を提供するためのメタデータとを含み、
前記メタデータは、既定の検索キーワードと製作者により追加で定義される検索キーワードとを含み、前記メタデータは、全体ディスクに関する情報及び／またはタイトル情報に含まれ、複数言語を使用する拡張検索機能を提供するために、多国語支援と関連したメタデータ部分がテキスト基盤のファイルに記録されていることを特徴とする記録媒体。
【請求項５０】
ユーザインターフェース部及びディスプレイ部と共に使われ、拡張検索機能を利用してディスク情報及び／またはタイトル情報を提供する再生及び／または記録装置において、
前記ディスク情報と関連したメタデータを保存するメタデータ保存部と、
前記ユーザインターフェース部を介して入力された検索条件によって、前記保存されたメタデータを探索し、前記ディスプレイ部を介して前記検索の結果を出力する検索部とを備えることを特徴とする装置。
【請求項５１】
前記検索条件は、ディスク名、登場俳優、監督またはそれらの組み合わせについてのキーワードを含むことを特徴とする請求項５０に記載の装置。
【請求項５２】
前記メタデータ保存部は、記録媒体からメタデータを受信することを特徴とする請求項５０に記載の装置。
【請求項５３】
前記記録媒体が前記装置にロードされれば、前記記録媒体が除去された場合でも、前記記録媒体に関連したメタデータは削除されずに前記メタデータ保存部に残ることを特徴とする請求項５２に記載の装置。
【請求項５４】
ユーザインターフェース部及びディスプレイ部と共に使われ、拡張検索機能を利用してディスク情報及び／またはタイトル情報を提供する記録及び／または再生装置において、
光ディスクと、前記光ディスクに／からデータを記録／読み出しする記録／読み出し部と、前記記録／読み出し部を制御する制御部とを備え、
前記制御部は、前記光ディスクに関する情報に関連したメタデータを保存し、前記ユーザインターフェース部を介して入力された検索条件によって前記保存されたメタデータを検索できるように、探索可能な保存所を含み、前記ディスプレイ部を介して前記検索の結果を出力することを特徴とする装置。
【発明の詳細な説明】
【技術分野】
【０００１】
本発明は、記録媒体に記録された動画データの再生に係り、具体的には、動画データに対する多様な検索キーワードを利用した拡張検索機能を提供するメタデータを含む記録媒体とその記録媒体を再生する再生装置及び再生方法に関する。
【背景技術】
【０００２】
ＤＶＤのような記録媒体には、ＭＰＥＧ(Ｍｏｔｉｏｎ  Ｐｉｃｔｕｒｅ  Ｅｘｐｅｒｔｓ  Ｇｒｏｕｐ)などの標準によって圧縮符号化されたビデオ及びオーディオ、またはサブタイトルを含む動画データ(Ａｕｄｉｏ−Ｖｉｓｕａｌ  Ｄａｔａ)が記録されている。また、動画データの符号化属性または動画データの再生順序などの付加情報がさらに記録されている。これにより、記録媒体に記録された動画は、前記の再生情報によって順次に再生されることが一般的であり、時には、ＡＶデータの再生中にチャプター単位でジャンプして再生される場合もある。
【０００３】
しかし、従来の記録媒体については、ユーザが所望する検索基準によって任意の場面にジャンプして再生できる方法が提供されていない。すなわち、場面(シ−ン)、登場人物(キャラクタ)、背景場所(ロケーション)、または背景音楽、小品など、ユーザが所望する検索基準によって動画データの任意の位置に移動して再生する機能は提供されず、多様な検索が困難であるという問題点があった。
【０００４】
また、従来ＤＶＤでは、動画情報をＭＰＥＧ２標準によって圧縮符号化して多重化したため、動画の検索機能を提供するためのメタデータを含むように記録媒体を製作し難いだけでなく、一度製作された記録媒体は、動画データまたはメタデータを編集するか、または再使用することがほぼ不可能であるという問題点があった。
【発明の開示】
【発明が解決しようとする課題】
【０００５】
前記問題点を解決するために本発明が解決しようとする技術的課題は、動画データに対する多様な検索キーワードを利用した拡張検索機能を提供するメタデータを含む記録媒体とその記録媒体を再生する再生装置及び再生方法を提供することである。
【課題を解決するための手段】
【０００６】
前記の技術的課題は、本発明によって、動画データ及び動画データに対する拡張検索機能を提供するためのメタデータを含み、メタデータは、既定の検索キーワードと、製作者が追加で定義できる検索キーワードとを備えることを特徴とする記録媒体により達成される。
【０００７】
前記メタデータは、二進形態で具現され、製作者定義検索キーワードと製作者定義検索キーワードに関するキーワード値とを追加で定義できる別途のテキストフィールドを含むことが望ましい。
【０００８】
また、前記メタデータは、テキスト基盤のマークアップ言語形態で具現され、製作者定義検索キーワードと製作者定義検索キーワードに関するキーワード値とを追加で定義できる別途のエレメントまたは属性を含むことが望ましい。
【０００９】
また、前記メタデータは、多国語支援と関連のないパラメータは、二進形態で動画データに含め、多国語支援と関連したパラメータは、テキスト基盤の別個のファイルとして具現することが望ましい。
【００１０】
一方、本発明の他の分野によれば、前記技術的課題は、動画データ及び動画データに対する拡張検索機能を提供するためのメタデータを含む記録媒体から、前記メタデータを参照して所定の検索条件を満足させる動画データの位置を探索する検索部と、探索された位置から動画データを再生する再生部とを備え、前記メタデータは、既定の検索キーワードと製作者が追加で定義できる検索キーワードとを備えることを特徴とする再生装置により達成される。
【００１１】
また、前記検索部は、システムパラメータに保存されたサブタイトル、オーディオ、またはメニューのために支援される言語情報を参照して、該当言語情報に対応するメタデータを選択することが望ましい。
【００１２】
また一方、本発明の他の分野によれば、前記技術的課題は、動画データ及び動画データに対する拡張検索機能を提供するためのメタデータを含む記録媒体から、前記メタデータを参照して所定の検索条件を満足させる動画データの位置を探索する段階と、探索された位置から動画データを再生する段階とを含み、前記メタデータは、既定の検索キーワードと製作者が追加で定義できる検索キーワードとを備えることを特徴とする再生方法によって達成される。
【００１３】
一方、本発明の他の分野によれば、前記技術的課題は、動画データと動画データに対する拡張検索機能を提供するためのメタデータとを含み、メタデータは、既定の検索キーワードと、製作者が追加で定義できる検索キーワードとを含み、メタデータは、ディスク全体に関する情報または／及び各タイトルに関する情報に含まれることを特徴とする記録媒体により達成される。
【００１４】
一方、本発明の他の分野によれば、前記技術的課題は、動画データ及び動画データに対する拡張検索機能を提供するためのメタデータを含む記録媒体から、前記メタデータを参照して所定の検索条件を満足させるディスク全体に関する情報または／及び各タイトルに関する情報を探索する検索部と、探索されたディスク全体に関する情報または／及び各タイトルに関する情報をディスプレイするディスプレイ部とを備え、前記メタデータは、既定の検索キーワードと製作者が追加で定義できる検索キーワードとを備えることを特徴とする再生装置により達成される。
【００１５】
一方、本発明の他の分野によれば、前記技術的課題は、動画データ及び動画データに対する拡張検索機能を提供するためのメタデータを含む記録媒体から、前記メタデータを参照して所定の検索条件を満足させるディスク全体に関する情報または／及び各タイトルに関する情報を探索する段階と、探索されたディスク全体に関する情報または／及び各タイトルに関する情報をディスプレイする段階とを含み、前記メタデータは、既定の検索キーワードと製作者が追加で定義できる検索キーワードとを備えることを特徴とする再生方法により達成される。
【発明の効果】
【００１６】
これにより、一度製作された記録媒体は、動画データまたはメタデータを編集するか、または再使用することがほぼ不可能であった従来の記録媒体の問題点を解決し、再生時に製作者が定義した多様なキーワードを通じて拡張検索機能を提供することができる。
【００１７】
さらに、メタデータのうち多国語支援と直接に関連のある部分のみを別途のテキスト基盤のファイルとして記録することによって、複数の言語を利用して拡張検索機能を提供することができる。
【００１８】
また、ディスク単位またはタイトル単位のコンテンツに関する情報を検索してディスプレイする拡張検索機能を提供することができる。
【発明を実施するための最良の形態】
【００１９】
以下、添付された図面を参照して本発明の望ましい実施形態について詳細に説明する。
【００２０】
図１Ａ及び図１Ｂは、本発明によるメタデータを具現した一実施形態である。図１Ａは、テキスト基盤のメタデータを、図１Ｂは、二進基盤のメタデータを示す。
【００２１】
図１Ａを参照するに、マークアップのようなテキスト基盤のメタデータ１０１の場合、場面単位１０２とチャプター単位とに大別される。場面単位エレメントの子エレメントとしては、登場人物、小品、場所、背景音楽などを示すエレメント１０３が含まれ、これらは、動画データの拡張検索のための検索キーワードとして使われうる。
【００２２】
一方、図１Ｂを参照するに、Ｃ言語、Ｃ＋＋などのようなプログラミング言語を使用する二進基盤のメタデータ１の場合には、映画再生のために必要な再生シーケンスであるプレイリスト内に、または動画データストリーム内に、図１Ｂのような二進コードの形態で含まれうる。このとき、メタデータのうち検索キーワードとして使われうるエレメントは、メタデータタイプ(ｍｅｔａｄａｔａ＿ｔｙｐｅ)１１１の形態で予め定義される。例えば、登場人物は０、小品は１、場所は２、背景音楽は３のようなタイプ値で予め定義される。
【００２３】
これにより、動画データストリームのうち検索ポイント部分１１１には、既定のメタデータタイプのうち、所望の検索キーワードに該当するタイプ値を指定する。そして、各説明フィールド１１２を通じて検索キーワードに対応する実際キーワード値を指定する。映画“マトリックス”を例として挙げれば、登場人物の“ネオ”が出る場面だけを検索しようとする場合、動画データストリームのうち、“ネオ”が登場する検索ポイント部分には、メタデータタイプ１１１として登場人物を意味する“０”を指定し、キーワード値を示す説明１１２として“ネオ”を指定する。これにより、ユーザは、動画データストリームのうち“ネオ”が登場する場面だけを検索して再生することが可能になる。
【００２４】
したがって、従来のＤＶＤなどの記録媒体は、単純に場面やチャプター、または時間による再生だけを支援したことに対して、図１Ａまたは図１Ｂのような形態で具現されたメタデータを利用する場合、さらに向上した拡張検索機能を提供できる。
【００２５】
しかし、図１Ａまたは図１Ｂの場合、検索キーワードが動画データストリーム内に予め定義されて、新たな検索キーワードを任意に追加できないという問題点がある。以下では、拡張検索のためのメタデータとして製作者が追加で検索キーワードを定義できるメタデータの構造について説明する。
【００２６】
図２は、本発明によって製作者が検索キーワードを追加できるメタデータを具現した一実施形態である。図２を参照するに、本発明によるメタデータが具現されたマークアップ文書２のツリー構造が示されている。メタデータエレメント２０１の子エレメントとして場面単位エレメント２０２が含まれ、場面単位エレメントの子エレメントとしてキーワードエレメント２０３が含まれる。キーワードエレメント２０３は、製作者が追加で定義しようとする検索キーワードを該当エレメントのコンテンツとして有することを特徴とする。また、キーワードエレメント２０３の子エレメントとして、製作者が定義する検索キーワードに対応するキーワード値をコンテンツとして有する説明エレメント２０４を含む。一方、前記のキーワードエレメント２０３や説明エレメント２０４は、場面単位エレメント２０２の下位エレメントの代わりに属性として具現してもよいということは言うまでもない。
【００２７】
さらに具体的に、図２に示したメタデータをマークアップ言語で具現したマークアップ文書の一実施形態を説明する。図３は、図２に示したメタデータ構造をテキスト形態で具現した一実施形態である。
【００２８】
図３を参照するに、本発明によるメタデータを具現したマークアップ文書２には、メタデータエレメント＜ｍｅｔａｄａｔａ＞３０１、場面単位エレメント＜ｓｃｅｎｅ＞３０２、キーワードエレメント＜ｋｅｙｗｏｒｄ＞３０３、及び説明エレメント＜ｄｅｓｃｒｉｐｔｉｏｎ＞３０４が含まれる。
【００２９】
また、メタデータエレメント＜ｍｅｔａｄａｔａ＞３０１は、再生シーケンスに関する連結情報＜ｌｉｎｋ  ｈｒｅｆ＝“ｘｘｘ  ｐｌａｙ  ｓｅｑｕｅｎｃｅ”／＞を含む。メタデータエレメントの下位には、場面単位エレメント＜ｓｃｅｎｅ＞３０２が含まれ、その下位には、製作者が追加で定義する多様な検索キーワードをコンテンツとして有するキーワードエレメント＜ｋｅｙｗｏｒｄ＞３０３と、該当検索キーワードに対応するキーワード値をコンテンツとして有する説明エレメント＜ｄｅｓｃｒｉｐｔｉｏｎ＞３０４が含まれる。例えば、場面ＩＤ“００１”で登場人物を新たな検索キーワードとして使用するために、＜ｋｅｙｗｏｒｄ＞エレメントのコンテンツとして”ｃｈａｒａｃｔｅｒ”を定義し、該当検索キーワードに該当するキーワード値として“Ｂｒｕｃｅ  Ｌｅｅ”を＜ｄｅｓｃｒｉｐｔｉｏｎ＞エレメントとして定義できる。その他に、背景場所及び小品を新たな検索キーワードとして定義できる。
【００３０】
すなわち、本実施形態によるメタデータは、図１Ａ及び図１Ｂのように検索キーワードを予め定義するものではなく、キーワードエレメントのコンテンツとして検索キーワードを製作者が任意に追加で定義できる。これにより、製作者は、従来のタイトル製作時に使用した用語を変更せずとも、多様な検索キーワードを制約なく新たに定義して使用できる。
【００３１】
一方、図４は、本発明によって製作者が検索キーワードを追加できるメタデータを具現した他の実施形態である。
【００３２】
図４を参照するに、二進基盤のメタデータの一実施形態が示される。本実施形態によるメタデータは、前記の図３のテキスト基盤のメタデータと同様に、キーワード値を示す説明フィールド４０４だけでなく、検索キーワードを示すキーワードフィールド４０３も製作者が新たに定義して使用できるように、二つのテキストタイプフィールドを含むことを特徴とする。図１Ｂの場合、メタデータタイプ(ｍｅｔａｄａｔａ＿ｔｙｐｅ)フィールドで既定の検索キーワードだけを使用する一方、本実施形態の場合、キーワードフィールド４０３を利用して製作者が多様な検索キーワードを新たに追加できる。
【００３３】
以下、前記の製作者が検索キーワードを任意に追加できるメタデータの構造と高画質動画を提供する動画データとの関係を共に説明する。図５は、本発明によるメタデータが含まれた動画データの構造を示す図である。
【００３４】
図５を参照するに、動画データの記録単位としてクリップと、再生単位としてプレイリストが示されている。特に、前記の再生シーケンスを具現した形態がプレイリストである。
【００３５】
まず、動画データの記録単位としてクリップは、圧縮符号化されたビデオ、オーディオ及びその他のデータストリームが記録されたクリップＡ／Ｖストリーム５４０と、クリップＡＶストリームの符号化属性などに関する情報を記録しているクリップインフォメーション５３０で構成される。クリップＡ／Ｖストリーム５４０は、ビデオ、オーディオ及びその他データストリームを多重化してパケット単位で圧縮符号化して記録しており、各パケットは、パケット識別子であるＰＩＤで区分される。
【００３６】
一方、再生単位として動画が再生される順序を指定した再生シーケンスを示すプレイリスト５１０と、これをさらに小さな小単位に分けたプレイアイテム１２０ａないし１２０ｃが含まれる。プレイリスト５１０は、複数個のプレイアイテムからなる(この場合、プレイアイテム１２０ａないし１２０ｃ)。
【００３７】
特に、プレイリスト５１０には、前記のクリップの特定位置を指示するプレイリストマーク５１１がさらに含まれる。プレイリストマーク５１１は、本発明による拡張検索機能を提供するメタデータ５１２をさらに含む。図５に示した例では、本発明によるメタデータ５１２がプレイリスト内のプレイリストマーク５１１に含まれて記録された例を示す。しかし、本発明によるメタデータ５１２は、プレイリスト５１０内にプレイリストマーク５１１とは別途に定義されるか、またはプレイリスト５１０とは別途の独立した空間に二進またはテキスト形態で記録されてもよい。ただし、説明の便宜上、以下では図５に示すように、プレイリスト内のプレイリストマークに含まれた場合を一例として挙げて説明する。
【００３８】
プレイアイテム１２０ａないし１２０ｃは、再生されるクリップインフォメーション５３０ファイルの名前、ＩＮ＿ｔｉｍｅ、ＯＵＴ＿ｔｉｍｅ情報を含み、これを利用して再生されるクリップと該当クリップ上における再生される位置を指定する。特に、示されているようにプレイリスト内の特定位置を指示するために使われるプレイリストマーク５１１は、次のような構造からなる。
【００３９】
図６は、本発明によるメタデータが含まれた動画データ内のプレイリストマークの構造を示す図である。図６を参照するに、プレイリストマーク５１１には、該当プレイリストマークの識別子として使われる固有識別子情報（ＰｌａｙＬｉｓｔＭａｒｋ  Ｉｄｅｎｔｉｆｉｅｒ）フィールド６１０、該当プレイリストマークの用途を示すマークタイプ情報（Ｔｙｐｅ  ｏｆ  Ｍａｒｋ）フィールド６２０、マークタイプがメタデータマークである場合にだけ意味があるキーワード(Ｋｅｙｗｏｒｄ)６３０フィールドと説明(Ｄｅｓｃｒｉｐｔｉｏｎ)フィールド６４０、該当マークが位置するプレイアイテムの固有識別子情報(Ｒｅｆｅｒｅｎｃｅ  ｔｏ  ＰｌａｙＩｔｅｍ  Ｉｄｅｎｔｉｆｉｅｒ)フィールド６５０、そして該当プレイリストマークがプレイアイテムのどの時点に位置すべきであるかについての時間情報を示すマークタイムスタンプ(Ｍａｒｋ  Ｔｉｍｅ  Ｓｔａｍｐ)６６０フィールドが含まれる。プレイリストマークの用途を示すマークタイプ６２０フィールドは、エントリーマーク(Ｅｎｔｒｙ  Ｍａｒｋ)６２１、リンクポイント(Ｌｉｎｋ  Ｐｏｉｎｔ)６２２及び本発明によるメタデータマーク(Ｍｅｔａｄａｔａ  Ｍａｒｋ)６２３のうちいずれか一つとして指定される。本発明の場合、マークタイプフィールド６２０がメタデータマーク６２３として指定された場合を説明する。
【００４０】
前記のように本発明によるメタデータは、キーワードフィールド６３０を通じて製作者が検索キーワードを任意に新たに定義することを可能にし、説明フィールド640を通じて該当検索キーワードに対応するキーワード値を指定するようにすることを特徴とする。これにより、製作者は、多様な検索キーワードを新たに追加できる。
【００４１】
一方、図５に示すような本発明によるメタデータを含むプレイリストマーク５１１は、二進形態でプレイリスト内に含まれるので、動画データストリームにＩｎ−Ｍｕｘ形態で含まれている。したがって、メタデータと動画データストリームとのバインディングが容易であり、再生時に製作者が定義した多様なキーワードを通じて拡張検索機能を提供するという長所がある。
【００４２】
しかし、二進形態でプレイリスト内に含まれたプレイリストマーク５１１は、多国語支援という側面で問題点がある。すなわち、本発明による記録媒体を再生する再生装置は、プレイリストをメモリ上に全てロードした後、記録媒体に記録されたプログラム機能のあるアプリケーションあるいは再生装置内の特別なモジュールを通じて、メタデータ情報からユーザが選択可能な検索キーワードを抽出してディスプレイ装置に表示する。このとき、ディスプレイされる言語は、最初メタデータの作成時にキーワードと説明に記録された特定言語で表示される。すなわち、二進形態でプレイリスト内に含まれたプレイリストマーク５１１は、多国語を支援できない短所がある。
【００４３】
このとき、複数の言語を支援するために、各言語別にプレイリストを製作することは望ましくない。これは、キーワード及び説明フィールド内に複数の言語を支援するために多くの資料を含める場合、作業メモリを増加させるためである。
【００４４】
このような問題点を解決するために、以下では、本発明のさらに他の実施形態として、複数の言語を支援するためのメタデータ構造を説明する。図７は、本発明による多国語を支援するためのメタデータの構造を示す図である。
【００４５】
前記のように、一般的な動画データは、メイン動画ストリームに字幕やメニューのためのグラフィックストリームなどの多様なアプリケーションが多重化される。これは、アプリケーションとメイン動画ストリームとのバインディング及び同期化が容易であるためである。
【００４６】
したがって、本発明のさらに他の実施形態は、メタデータのうち多国語支援に直接に関連したキーワード部分と説明部分だけを別途のテキスト基盤のメタデータファイル形式で具現し、その他に多国語支援と直接に関連のないメタデータの識別子情報や、時間情報などは、二進形態でメイン動画ストリームに含めることを特徴とする。
【００４７】
これにより、再生装置は、メイン動画ストリームに含まれたプレイリストを通じてメタデータの存在、その適用時点、及び既定のキーワード情報が得られる。また、テキスト基盤のメタデータファイルを通じて製作者が定義したキーワード及びその説明情報だけを定義することで、メタデータファイルのサイズを減らすことができるだけでなく、メイン動画ストリームと別途のファイル形態で存在するので、多国語支援が可能である。
【００４８】
図７を参照するに、プレイリストマーク５１１には、マークタイプ７１０の一種として拡張検索機能のためのメタデータマークが定義され、マークタイプがメタデータマークである場合にだけその値が有効であるキーワード記述子(Ｋｅｙｗｏｒｄ  Ｄｅｓｃｒｉｐｔｏｒ)フィールド７２０が定義される。キーワード記述子フィールド７２０は、所定のビットから構成され、各フィールドは、既定の特定キーワードの存否を示すフラグ領域と、製作者が追加で定義できる所定のキーワードの存否を示すフラグ領域とに区分される。例えば、キーワード記述子フィールド７２０がＮ＋Ｍビットから構成されるとすれば、前者のフラグ領域７２１に該当するＮビットは、Ｎ個の既定の検索キーワードの存否を示し、後者のフラグ領域７２２に該当するＭビットは、Ｍ個の製作者が定義した検索キーワードの存否を示す。該当ビットの検索キーワードが存在する場合に“１ｂ”値が、存在しない場合に“０ｂ”値が指定される。
【００４９】
図７のキーワード記述子７２０のビット構造を参照するに、例えば、ビットの製作者定義フラグ１
７２１に既定の検索キーワードとして登場人物を示す“ｃｈａｒａｃｔｅｒ”が割り当てられた場合、そのビットの値が“０ｂ”に設定されれば、該当検索キーワードが有効でないことを示す。もし、そのビットの値が“１ｂ”に設定されれば、“ｃｈａｒａｃｔｅｒ”に該当する検索キーワードが有効であることを示す。
【００５０】
ビットの製作者定義フラグ７２２の場合も同じ方式が適用される。このように、キーワード記述子フィールド７２０を利用して検索キーワードの有効性を示すことができる。
【００５１】
一方、テキスト基盤のメタデータファイル７１３は、多国語支援のために、前記のプレイリストマーク５１１と別途に存在する。また、多国語支援のために支援する言語を示す言語情報を属性情報(図面でｌａｎｇ)として含むことが望ましい。特に、言語情報は、再生装置のサブタイトル、オーディオまたはメニューのための言語情報のうち一つを保存するシステムパラメータに指定された言語コードと同じ言語コードを使用することが望ましい。さらに、テキスト基盤のメタデータファイル７１３は、前記のプレイリストマーク５１１と別途のファイルとして存在するので、メイン動画ストリームとのバインディングのために、記録媒体の識別子(図面でｄｉｓｃ＿ｉｄ)及び／またはタイトル識別子情報(図面でｔｉｔｌｅ＿ｉｄ)を含むことが望ましい。
【００５２】
図７の下段に示したメタデータファイル７１３を参照するに、製作者が定義できる検索キーワードのために＜ａｕｔｈｏｒ＿ｄｅｆｉｎｅｄ＞エレメント７２２、７２３を含み、製作者が新たに定義する検索キーワードを該当エレメントのコンテンツとする。このとき、製作者が定義する検索キーワードのための一番目のエレメント７２２は、前記のキーワード記述子７２１で製作者定義フラグのうち“１ｂ”値を有する一番目のビットに該当する検索キーワードとなる。例えば、キーワード記述子７２０のＮ＋１ビットが１である場合、メタデータファイル７１３で最初に定義される＜ａｕｔｈｏｒ＿ｄｅｆｉｎｅｄ＞エレメント７２２が、該当検索キーワードを示す。また、各検索キーワードに該当するキーワード値をコンテンツとして有する＜ｍａｒｋｅｒ＞エレメント７２４が含まれる。該当マーク時点に適用される複数の検索キーワードに関するキーワード値をコンテンツとして含む＜ｐａｒａｍ＞エレメント７２５が子エレメントとして含まれうる。もちろん、キーワード値を＜ｐａｒａｍ＞エレメントの代わりに、属性の形態で表現してもよい。
【００５３】
具体的に、図７においてプレイリストマークに含まれたキーワード記述子７２０が８ビットを有し、その値が“０１００１１００”であると仮定する。６番目、３番目、２番目のビットが“１ｂ”値を有し、６番目のビットは、既定の検索キーワードとして”ｃｈａｒａｃｔｅｒ”を示し、３番目及び２番目のビットは、別途のメタデータファイル７１３で各＜ａｕｔｈｏｒ＿ｄｅｆｉｎｅｄ＞エレメントが“ｉｔｅｍ”及び“ｌｏｃａｔｉｏｎ”を示しうる。このとき、該当検索キーワードに対応するキーワード値は、それぞれ＜ｐａｒａｍ＞エレメント７２５が定義する通りに“Ｂｒｕｃｅ”、“Ｇｕｎ”、“ＬＡ”を有する。
【００５４】
もちろん、それぞれの＜ａｕｔｈｏｒ＿ｄｅｆｉｎｅｄ＞エレメントが、韓国語を基準として、
（外１）
2008508659.tif 000003
を示し、各＜ｐａｒａｍ＞エレメント７２５が、
（外２）
2008508659.tif 000004
を示すこともある。これにより、ユーザが所望する言語によって多国語を支援する拡張検索機能を提供できる。
【００５５】
以下では、前記のメタデータを含む記録媒体を再生する再生装置及びその再生方法を説明する。
【００５６】
図８は、本発明による再生装置のブロック図である。図８を参照するに、本発明による再生装置は、読み出し部８２０、検索部８４０、及び再生部８５０を含む。読み出し部８２０は、前記の記録媒体から動画データ及びメタデータを読み込む。図示してはいないが、読み出し部の性能を考慮して、読み出し部８２０を介して読み込んだ動画データとメタデータとは、バッファー部(図示せず）に一時保存されてから再生部８５０に伝えられてもよい。
【００５７】
検索部８４０は、動画データの検索基準として使われる複数のメタデータを含む記録媒体から、メタデータを参照して外部から受信した所定の検索条件を満足させる動画データの位置を探索する。
【００５８】
すなわち、検索部８４０は、読み出し部８２０からメタデータの伝達を受け、外部から受信した所定の検索条件と伝達されたメタデータに含まれた検索キーワード情報とを比較して、検索条件と一致するプレイリストマークまたは別途に定義されたマークに含まれた動画データの位置情報を再生部８５０に伝達する。再生部８５０は、検索部８４０を通じて探索された動画データの位置情報に基づいて対応する部分の動画データを再生する。
【００５９】
前記のような構成に基づき、本発明によるメタデータを含む記録媒体を再生する方法を説明すれば、次の通りである。図９は、本発明による拡張検索機能を利用した再生方法を示すフローチャートである。
【００６０】
図９を参照するに、拡張検索機能を提供するメタデータを含む記録媒体を再生するために、まず、所定の検索条件を入力され(９２０段階)、記録媒体から動画データ及びメタデータを読み込み、メタデータを参照して所定の検索条件を満足させる動画データの位置を探索し(９２２段階)、探索された位置から動画データを再生する(９２４段階)。
【００６１】
特に、メタデータに基づいて動画データの位置を探索する過程は、入力された所定の検索条件とメタデータの検索キーワード情報とを比較して、検索条件と一致するプレイリストマークまたは別途に定義されたマークを探索し、探索されたプレイリストマークまたは別途に定義されたマークに含まれた位置情報を参照して、動画データで該当する位置を探索する過程を経る。
【００６２】
以上、メタデータを利用して記録媒体の各タイトルに含まれる動画データに対する拡張検索機能を提供するためのデータ構造、装置及び方法を説明した。
【００６３】
以下では、拡張検索範囲をさらに拡大してタイトルだけでなく、ディスク全体範囲に対しても拡張検索機能を提供できる拡大された意味のメタデータの構造とその具現方法を説明する。
【００６４】
図１０は、本発明の他の実施形態によるディスク全体のメタデータの構造を示す図である。図１０を参照するに、本発明によるディスク全体に対するメタデータ１０００には、ディスク自体に関連した情報やあらゆるタイトルに共通的に適用される情報のディスク情報１０１０と、ディスクに記録されたタイトルに関連した情報のタイトル情報１０２０とが含まれる。また、タイトル情報１０２０とディスク情報１０１０とには、拡張検索機能を提供し、製作者が任意に定義できるメタデータ１０１２及び１０２２がさらに含まれる。これにより、図１ないし図９Ａに示すように、動画データ自体に対する拡張検索機能を提供するためのメタデータだけでなく、タイトルまたは全体ディスクに保存されたコンテンツの内容に対する拡張検索機能を提供できる拡大された意味のメタデータを提供できる。
【００６５】
さらに具体的に、ディスク情報１０１０には、ディスクの生成と関連したメタデータ、ディスクと関連した資料に関するメタデータ、ディスクの製作者が定義したメタデータ１０１２が含まれうる。ディスクの生成と関連したメタデータには、ディスクの題目、目次、著作権、配布情報などが含まれる。ディスクと関連した資料に関するメタデータには、サムネイルや関連情報のＵＲＬアドレスなどが含まれうる。
【００６６】
一方、タイトル情報１０２０もディスク情報１０１０と同様に、コンテンツの生成と関連したメタデータ、コンテンツのプレゼンテーションに関連したメタデータ、コンテンツの分類に関連したメタデータ、コンテンツの資料に関連したメタデータ、コンテンツの製作者が定義したメタデータ１０２２が含まれうる。コンテンツの生成と関連したメタデータには、タイトル題目、タイトルタイプ、タイトルの製作、配布などに関与した会社に関する情報が含まれ、コンテンツプレゼンテーションに関連したメタデータには、縦横比、サブタイトル、ランタイム、オーディオ支援に関する情報などが含まれうる。コンテンツの分類に関する情報には、クレジット、プロモーション情報、コンテンツタイプ、レビューなどの情報が含まれる。クレジットは、タイトルの製作に関連した人々に関する情報であって、俳優、監督、製作者、音楽プロデューサー、シナリオ作家などに関連した情報であり、プロモーション情報は、ジャンル、言語、ペアレンタルガイドなどに関する情報である。コンテンツの資料に関連したメタデータは、あらすじ(Ｓｙｎｏｐｓｉｓ)、受賞に関する情報及び関連情報のＵＲＬアドレス情報などが含まれうる。
【００６７】
図１１は、本発明の他の実施形態によるディスク全体に対するメタデータを応用した一例を示す図である。図１１を参照するに、各ディスクに記録されたディスク全体に対するメタデータ１０００は、各ディスクが再生装置に挿入されてロードされれば、再生装置のハードディスクのような保存部にディスク単位またはボリューム単位で保存される。これにより、ディスクが再生装置から除去された場合でも、保存部に保存されたディスク単位またはボリューム単位で保存されたメタデータ１０００(ディスクライブラリともいう）を利用して特定ディスクや特定タイトルを検索できる。特に、図１０に示すように、既定のディスク情報やタイトル情報だけでなく、製作者が追加で定義したメタデータ１０１２及び１０２２を利用して、特定ディスクや特定タイトルを検索できる。すなわち、図１ないし図９において、拡張検索の範囲が、タイトル内の動画データを対象とするのに比べて、図１０ないし図１１に示す拡張検索の範囲は、ディスク全体まで拡大される。また、前者が検索条件に合う動画データの位置を探して再生することを主要目的とするのに比べて、後者は、検索条件に合うコンテンツに関する情報をディスク情報またはタイトル情報の形態でディスプレイすることを主要目的とする。
【００６８】
図１２Ａ及び図１２Ｂは、本発明の他の実施形態によってディスク全体に対するメタデータに含まれた製作者定義メタデータの構造とその具現例を示す図である。
【００６９】
図１２Ａを参照するに、製作者が既定のメタデータの記述子の以外に追加でメタデータを定義しようとする場合、図示された製作者定義メタデータ１０１２Ａを利用できる。例えば、助演俳優に関する情報をさらに追加しようとするならば、ａｕｔｈｏｒｄｅｆのｎａｍｅエレメントに助演俳優を入力し、ａｕｔｈｏｒｄｅｆの子エレメントとしてさらに他のａｕｔｈｏｒｄｅｆを定義し、そのｎａｍｅエレメントに助演俳優の名前を入力する。
【００７０】
以上の製作者定義メタデータをマークアップ文書形態で具現した例を図１２Ｂに示す。図１２Ｂを参照するに、ディスク情報エレメント内に製作者定義エレメント＜ａｕｔｈｏｒｄｅｆ＞が含まれ、ここにエレメントの名前を指定する＜ｎａｍｅ＞エレメントが含まれる。また、＜ａｕｔｈｏｒｄｅｆ＞エレメントの下位に他の＜ａｕｔｈｏｒｄｅｆ＞を定義し、その＜ｎａｍｅ＞を定義できる。例えば、助演俳優に関する製作者定義メタデータを定義するために、ｓｕｐｐｏｒｔｉｎｇ＿ａｃｔｒｅｓｓという上位＜ａｕｔｈｏｒｄｅｆ＞エレメントの＜ｎａｍｅ＞エレメントとＡｃｔｒｅｓｓ１という下位＜ａｕｔｈｏｒｄｅｆ＞エレメントの＜ｎａｍｅ＞エレメントを指定できる。
【００７１】
図１３Ａ及び図１３Ａは、製作者定義メタデータのネスティング構造とその具現例を示す図である。図１３Ａ及び図１３Ａを参照するに、助演俳優というエレメントの下位に助演俳優名エレメントが含まれ、また、助演俳優名エレメントの下位にプロフィール(出演作)エレメントが定義される例が示される。このように本発明による製作者定義エレメント＜ａｕｔｈｏｒｄｅｆ＞と＜ｎａｍｅ＞とを利用して、階層化されたメタデータを提供できる。すなわち、ａｕｔｈｏｒｄｅｆメタデータを利用して製作者が定義した情報を追加する場合、ａｕｔｈｏｒｄｅｆ  ｅｌｅｍｅｎｔのｎｅｓｔｉｎｇを通じてさらに細分化された情報をカテゴリ別に分類して表示できる。
【００７２】
一方、図１４は、本発明の他の実施形態によって拡張検索機能を利用したディスク情報またはタイトル情報を提供する再生装置の一実施形態である。図１４を参照するに、本発明の他の実施形態による再生装置は、メタデータ保存部１４１０に保存されたメタデータを、ユーザインターフェース部１４３０を介して入力された検索条件によって検索部１４２０で検索して、その結果をディスプレイ部１４４０を介して出力する。このために、マルチメディアデータ再生装置は、メタデータ保存部１４１０、検索部１４２０、ユーザインターフェース部１４３０、及びディスプレイ部１４４０を備える。メタデータ保存部１４１０は、ディスクなどを含む記録媒体またはネットワークからメタデータを受信して保存する。ユーザが記録媒体をマルチメディアデータ再生装置に挿入して、再生装置が記録媒体を一度ロードすれば、その記録媒体に関連したメタデータは、記録媒体が除去されても削除されずにメタデータ保存部１４１０に残っている。ユーザインターフェース部１４３０は、このように保存されているメタデータに対する検索条件をユーザから入力される。すなわち、ディスク題目、登場俳優、監督などの検索語をリモコンやその他の色々な装置を通じて入力される。検索部１４２０は、メタデータを検索して、ユーザの検索条件に一致するメタデータをディスプレイ部１４４０に出力する。
【００７３】
一方、図１５は、本発明の他の実施形態によって拡張検索機能を利用したディスク情報またはタイトル情報提供方法を示すフローチャートである。図１５を参照するに、所定の検索条件を入力され(１５１０段階)、ハードディスクのようなメタデータ保存部１４１０に保存されたディスクライブラリからメタデータを読み込み、これを参照して検索条件を満足させるディスク情報またはタイトル情報を探索する(１５１２段階)。探索されたディスク情報またはタイトル情報の内容をディスプレイする(１５１４段階)。これにより、検索条件に符合するディスク情報またはタイトル情報をユーザに提供できる。
【００７４】
図１６は、本発明の一実施形態による記録及び／または再生装置の構成図である。図１６を参照するに、記録及び／または再生装置は、ユーザインターフェース部及びディスプレイ部と共に使われ、拡張検索機能を利用してディスク情報及び／またはタイトル情報を提供し、記録／読み出し部１６０１、制御部１６０２、及び制御部１６０２の制御によって記録／読み出し部１６０１がデータを記録／再生する光ディスク１６１０を備える。実施形態によって、制御部１６０２は、図１４に示したメタデータ保存部１４１０と検索部１４２０とを備える。制御部１６０２は、ディスク情報に関連したメタデータを保存し、ユーザインターフェース部１４３０を介して入力された検索条件によって前記保存されたメタデータを検索することも可能である。また、制御部１６０２は、前記のようにディスプレイ部１４４０を介して検索の結果を出力する。ユーザインターフェースは、キーボード、マウス、音声命令受信器またはそれらの組み合わせであるが、これに限定されないということは自明である。同様に、ディスプレイ部は、モニタ、ＴＶ画面またはこれと類似した装置でありうる。
【００７５】
本発明によって、動画データに対する多様な検索キーワードを利用した拡張検索機能を提供するメタデータを含む記録媒体とその記録媒体を再生する再生装置及び再生方法を提供される。
【００７６】
特に、本発明によるメタデータは、既定の検索キーワードだけでなく、製作者が追加で定義できる検索キーワードを提供する。
【００７７】
これにより、一度製作された記録媒体は、動画データまたはメタデータを編集するか、または再使用することがほぼ不可能であった従来の記録媒体の問題点を解決し、再生時に製作者が定義した多様なキーワードを通じて拡張検索機能を提供することができる。
【００７８】
さらに、メタデータのうち多国語支援と直接に関連のある部分のみを別途のテキスト基盤のファイルとして記録することによって、複数の言語を利用して拡張検索機能を提供することができる。
【００７９】
また、ディスク単位またはタイトル単位のコンテンツに関する情報を検索してディスプレイする拡張検索機能を提供することができる。
【００８０】
一方、本発明による拡張検索方法は、コンピュータプログラムとして作成可能である。前記プログラムを構成するコード及びコードセグメントは、当分野のプログラマーらによって容易に推論可能である。また、前記プログラムは、コンピュータで読み取り可能な情報記録媒体に保存され、コンピュータによって読み取られ実行されることによって、拡張検索方法を具現する。前記情報記録媒体は、磁気記録媒体、光記録媒体、及びキャリアウェーブ媒体を含む。
【００８１】
これまで本発明についてその望ましい実施形態を中心に説明した。当業者ならば、本発明が本発明の本質的な特性から逸脱しない範囲で変形された形態で具現できるということを理解できるであろう。したがって、開示された実施形態は、限定的な観点ではなく、説明的な観点で考慮されねばならない。本発明の範囲は、前述した説明ではなく、特許請求の範囲に現れており、それと同等な範囲内にあるあらゆる差異点は、本発明に含まれていると解釈されねばならない。
【産業上の利用可能性】
【００８２】
本発明は、動画データに対する多様な検索キーワードを利用した拡張検索機能を提供するメタデータを含む記録媒体とその再生装置及び方法に適用可能である。
【図面の簡単な説明】
【００８３】
【図１Ａ】本発明によるメタデータを具現した一実施形態である。
【図１Ｂ】本発明によるメタデータを具現した一実施形態である。
【図２】本発明によって製作者が検索キーワードを追加できるメタデータを具現した一実施形態である。
【図３】図２に示したメタデータ構造をテキスト形態で具現した一実施形態である。
【図４】本発明によって製作者が検索キーワードを追加できるメタデータを具現した他の実施形態である。
【図５】本発明によるメタデータが含まれた動画データの構造を示す図である。
【図６】本発明によるメタデータが含まれた動画データ内のプレイリストマークの構造を示す図である。
【図７】本発明による多国語を支援するためのメタデータの構造を示す図である。
【図８】本発明による再生装置のブロック図である。
【図９】本発明による拡張検索機能を利用した再生方法を示すフローチャートである。
【図１０】本発明の他の実施形態によるディスク全体に対するメタデータの構造を示す図である。
【図１１】本発明の他の実施形態によるディスク全体に対するメタデータを応用した一例を示す図である。
【図１２Ａ】本発明の他の実施形態によってディスク全体に対するメタデータに含まれた製作者定義メタデータの構造を示す図である。
【図１２Ｂ】本発明の他の実施形態によってディスク全体に対するメタデータに含まれた製作者定義メタデータの具現例を示す図である。
【図１３Ａ】製作者定義メタデータのネスティング構造を示す図である。
【図１３Ｂ】製作者定義メタデータの具現例を示す図である。
【図１４】本発明の他の実施形態によって拡張検索機能を利用したディスク情報またはタイトル情報を提供する再生装置の一実施形態である。
【図１５】本発明の他の実施形態によって拡張検索機能を利用したディスク情報またはタイトル情報提供方法を示すフローチャートである。
【図１６】本発明の一実施形態による記録及び／または再生装置の構成図である。
【図１Ａ】
2008508659.tif 000005
【図１Ｂ】
2008508659.tif 000006
【図２】
2008508659.tif 000007
【図３】
2008508659.tif 000008
【図４】
2008508659.tif 000009
【図５】
2008508659.tif 000010
【図６】
2008508659.tif 000011
【図７】
2008508659.tif 000012
【図８】
2008508659.tif 000013
【図９】
2008508659.tif 000014
【図１０】
2008508659.tif 000015
【図１１】
2008508659.tif 000016
【図１２Ａ】
2008508659.tif 000017
【図１２Ｂ】
2008508659.tif 000018
【図１３Ａ】
2008508659.tif 000019
【図１３Ｂ】
2008508659.tif 000020
【図１４】
2008508659.tif 000021
【図１５】
2008508659.tif 000022
【図１６】
2008508659.tif 000023
【国際調査報告】
2008508659.tif 000024